(57)【要約】【課題】  本考案の課題は、建築予定物件の完成形状や、建築作業の主要な節目となる時期における形状を表示でき、かつシート本体は異なる建築現場で繰り返し使用できる建築工事用シートを提供することにある。【解決方法】  建築予定物件の完成形状や主要な各建築作業工程の終了時の形状を、設計図等の設計資料に基づいてコンピュータによって作成されたコンピュータグラフィックスを転写した印刷物をシート本体に着脱自在に装着できる建築工事用シート、特に前記印刷物を挿入するクリアポケットを備えた建築工事用シートによる。【選択図】図１
0003135744.tif 000002
【実用新案登録請求の範囲】
【請求項１】
シート本体に建築予定物件の建築情報が表示される建築工事用シートにおいて、前記建築情報として当該建築物件の完成形状が完成予定日を付記して印刷された印刷物を当該シート本体に着脱自在に装着してなることを特徴とする建築工事用シート。
【請求項２】
シート本体に建築予定物件の建築情報が表示される建築工事用シートにおいて、前記建築情報として基礎打ち、棟上げ、完成時等主要な各建築作業工程の終了時における当該建築物件の形状を示す複数の図形にそれぞれの建築作業工程の終了予定日が付記され、付記された終了予定日順に配列されて印刷された印刷物を当該シート本体に着脱自在に装着してなることを特徴とする建築工事用シート。
【請求項３】
シート本体に建築予定物件の建築情報が表示される建築工事用シートにおいて、前記建築情報として棟上げ、外装完了、完工等主要な各建築作業工程の終了時における当該建築物件の形状を示す図形にそれぞれの建築作業工程の終了定日が付記され、個別に印刷された複数枚の印刷物を、当該建築作業工程の開始時から終了日までの間前記シート本体に着脱自在に装着し、該建築作業工程の終了日に前記シート本体に装着された印刷物を次の建築作業工程の終了時の形状と終了予定日が印刷された印刷物に交換して装着するように構成してなることを特徴とする建築工事用シート。
【請求項４】
前記各図形が印刷された印刷物が、設計図等の設計資料を基にコンピュータによって作成されたコンピュータグラフィックスを転写したものであることを特徴とする請求項１〜３のいずれか１項に記載の建築工事用シート。
【請求項５】
前記シート本体が、前記物件情報の印刷物を収容する薄い透明なシート袋でなる印刷物掲示部を有してなることを特徴とする請求項１に記載の建築工事用シート。
【請求項６】
前記印刷物掲示部を構成する薄い透明シートの袋（クリアポケット）が、前記シート本体に固着され、又は複数個の面ファスナーを介して前記シート本体に着脱自在に装着されてなることを特徴とする請求項５に記載の建築工事用シート。
【請求項７】
前記印刷物掲示部の薄い透明シートの袋（クリアポケット）が、その表裏シートの上端及び左右端で接合封止されてなり、前記袋の下端の開口部に樹脂製のジッパーを備えてなることを特徴とする請求項５又は６に記載の建築工事用シート。
【請求項８】
前記印刷物掲示部の薄い透明シートの袋（クリアポケット）が、その表裏シートの上下左右端で接合封止され、かつ、表裏シートいずれか一方の下端部付近の左右側端間に水平な切り込みを設けて印刷物の挿入口としてなることを特徴とする請求項５又は６に記載の建築工事用シート。
【請求項９】
前記印刷物掲示部の薄い透明シートの袋（クリアポケット）が、その下端、及び左右端の一部を除いた表裏シートの上端、及び左右端の大部分が接合封止されてなり、かつ、封止されていない裏側のシートの下端部を内側上方に折り返し、折り返すことによって重なり合った裏側のシートの左右端を改めて接合封止して上方に開口した浅い袋状の折り返し部を形成し、封止されていない表側のシートの下端部で前記折り返し部の前面を被覆してなることを特徴とする請求項６又は７に記載の建築工事用シート。
【請求項１０】
前記折り返し部の前面と前記表側シートの下端部の被腹部の相対する位置に１又は複数の面ファスナーを備えてなることを特徴とする請求項９に記載の建築工事用シート。
【考案の詳細な説明】
【技術分野】
【０００１】
建築現場で足場等に張設して使用する建築工事用シートに係わり、特に建築予定物件の建築情報が表示される建築工事用シートに関する。
【背景技術】
【０００２】
建築工事用シートは、主に住宅建築現場等に設置される仮設足場に張設して、現場周辺の環境を保護し、近隣住民の安全を図る防護壁の役割を果たすものであるが、その反面建築現場がシ−トに覆われることから近隣住民には建築中の物件の進捗状況を目にすることができず、建築作業や資材搬入に伴う騒音や作業者の出入りに伴う緊張から、どのくらいの期間で開放されるのかが判断できないという問題がある。
従来の建築工事用シートは、白地のシートに当該建築を請け負う企業名やロゴが表示されたものが主流であったが、最近は当該建築予定物件の完成予想図のイラストや企業のＰＲに関するイラストが描かれているものも出てきている。例えば特許第２８１２３９９号（特開平３−２２１６６７号）公報には、「住宅建築現場において、住宅の周囲環境を保護し安全を図るために、組立足場を巡らし、該組立足場の外面に養生シートを張設する構造において、該養生シートの道路に面した側面に住宅の壁面大の絵画面を設け、同絵画面に風景画や建築中の住宅のデサイン画を複数枚の養生シートに分割して直接描写するとか、近隣住民へのメッセージを記載するとかした住宅建築現場の養生シート」の発明が開示されている。
しかし、建築中の住宅のデザイン画を描写した前記住宅建築現場の養生シートは、同一形状のプレハブ住宅などの場合には繰り返して使用できるが、戸建て住宅の場合には事後の再利用は考えられず、資源再利用の時代風潮に反することになる。またデザイン画が複数枚の養生シートに描かれていると、他の現場で再利用する場合には仮設足場へのシートの並べ方に注意を払わなければならなくなる。されに描かれているのがデザイン画であるため建築中の住宅の完成時の姿を正確に現しているとは必ずしも言えないという問題も残る。
【特許文献１】特許第２８１２３９９号（特開平３−２２１６６７号）公報
【考案の開示】
【考案が解決しようとする課題】
【０００３】
本考案の課題は、上記背景技術に鑑み、建築予定物件の完成形状や、建築作業の主要な節目となる時期における形状を表示でき、かつシート本体は異なる建築現場で繰り返し使用できる建築工事用シートを提供することにある。
【課題を解決するための手段】
【０００４】
本考案者は上記課題を下記の手段で解決した。
（１）シート本体に建築予定物件の建築情報が表示される建築工事用シートにおいて、前記建築情報として当該建築物件の完成形状が完成予定日を付記して印刷された印刷物を当該シート本体に着脱自在に装着してなることを特徴とする建築工事用シート。
【０００５】
（２）シート本体に建築予定物件の建築情報が表示される建築工事用シートにおいて、前記建築情報として基礎打ち、棟上げ、完成時等主要な各建築作業工程の終了時における当該建築物件の形状を示す複数の図形が、それぞれの作業終了予定日が付記され、付記された終了予定日順に配列されて印刷された印刷物を当該シート本体に着脱自在に装着してなることを特徴とする建築工事用シート。
【０００６】
（３）シート本体に建築予定物件の建築情報が表示される建築工事用シートにおいて、前記建築情報として棟上げ、外装完了、完工等主要な各建築作業工程の終了時における当該建築物件の形状を示す図形にそれぞれの建築作業工程の終了予定日が付記されて、個別に印刷された複数枚の印刷物を、当該建築作業工程の開始時から終了日までの間前記シート本体に着脱自在に装着し、該作建築業工程の終了日に前記シート本体に装着された印刷物を次の建設作業工程の終了時の形状と終了予定日が印刷された印刷物に交換して装着するように構成してなることを特徴とする建築工事用シート。
【０００７】
（４）前記各図形が印刷された印刷物が、設計図等の設計資料を基にコンピュータによって作成されたコンピュータグラフィックスを転写したものであることを特徴とする前項（１）〜（３）のいずれか１項に記載の建築工事用シート。
【０００８】
（５）前記シート本体が、前記物件情報の印刷物を収容する薄い透明なシートの袋（クリアポケット）でなる印刷物掲示部を有してなることを特徴とする前項（１）に記載の建築工事用シート。
（６）前記印刷物掲示部を構成する薄い透明なシートの袋（クリアポケット）が、前記シート本体に固着され、又は複数個の面ファスナーを介して前記シート本体に着脱自在に装着されてなることを特徴とする前項（５）に記載の建築工事用シート。
【０００９】
（７）前記印刷物掲示部の薄い透明シートの袋（クリアポケット）が、その表裏シートの上端及び左右端で接合封止されてなり、前記袋の下端の開口部に樹脂製のジッパーを備えてなることを特徴とする前項（５）又は（６）に記載の建築工事用シート。
【００１０】
（８）前記印刷物掲示部の薄い透明シートの袋（クリアポケット）が、その表裏シートの上下左右端で接合封止され、かつ、表裏シートいずれか一方の下端部付近の左右側端間に水平な切り込みを設けて印刷物の挿入口としてなることを特徴とする前項（５）又は（６）に記載の建築工事用シート。
【００１１】
（９）前記印刷物掲示部の薄い透明シートの袋（クリアポケット）が、その下端、及び左右端の一部を除いた表裏シートの上端、及び左右端の大部分が接合封止されてなり、かつ、封止されていない裏側のシートの下端部を内側上方に折り返し、折り返すことによって重なり合った裏側のシートの左右端を改めて接合封止して上方に開口した浅い袋状の折り返し部を形成し、封止されていない表側のシートの下端部で前記折り返し部の前面を被覆してなることを特徴とする前項（５）又は（６）に記載の建築工事用シート。
（１０）前記折り返し部の前面と前記表側シートの下端部の被覆部の相対する位置に１又は複数の面ファスナーを備えてなることを特徴とする前項（９）に記載の建築工事用シート。
【考案の効果】
【００１２】
本考案によって下記の効果が発揮できる。
〈１〉請求項１の考案によれば、
シート本体に建築予定物件の建築情報が表示される建築工事用シートにおいて、前記建築情報として当該建築物件の完成形状が印刷された印刷物を当該シート本体に着脱自在に装着できるので、前記印刷物を交換することにより前記シート本体の異なる建築現場での繰り返し使用が可能になる。
【００１３】
〈２〉請求項２の考案によれば、
シート本体に建築予定物件の建築情報が表示される建築工事用シートにおいて、前記建築情報として基礎打ち、棟上げ、完成時等主要な各建築作業工程の終了時における当該建築物件の形状を示す複数の図形が、それぞれの終了予定日が付記され、付記された終了予定日順に配列されて印刷された印刷物を当該シート本体に着脱自在に装着できるので、前記印刷物を交換することにより前記シート本体の異なる建築現場での繰り返し使用が可能になる。
〈３〉また、主要な建築作業工程の終了日における当該建築物件の形状を示す図形が、それぞれに付記された終了予定日順に配列されて印刷されているので、近隣住民に着工から完成までの大まかな日程と当該建築物件のその時々の形状が周知でき、工事への理解促進が図れるとともに、それぞれの建築作業工程の終了予定日を公示することによって施工担当者の工程管理への意識を高め、スムーズな施工が期待できる。
【００１４】
〈４〉請求項３の考案によれば、
シート本体に建築予定物件の建築情報が表示される建築工事用シートにおいて、前記建築情報として棟上げ、外装完了、完工等主要な各建築作業工程の終了時における当該建築物件の形状を示す図形にそれぞれの作業終了定日を付記して個別に印刷された複数枚の印刷物を、当該建築作業工程の開始時から完了日までの間前記シート本体に着脱自在に装着し、該建築作業工程の終了日にシート本体に装着された印刷物を次の建築作業工程終了時の形状と終了予定日が印刷された印刷物に交換して装着するので、作業近隣住民に現作業の終了予定日と終了時の形状が周知でき、工事への理解促進が図れるとともに、建築作業工程の終了予定日を公示することによって施工担当者の工程管理への意識を高め、スムーズな施工が期待できる。
【００１５】
〈５〉請求項４の考案によれば、
前記各図形が印刷された印刷物が、設計図等の設計資料を基にコンピュータによって作成されたコンピュータグラフィックスを転写したものであるので、従来のデザイン画やイラストで表示された完成形状とは異なり、当該建築予定物件の完成時の形状が正確に表示されており、前記建築予定物件完成後の近隣の風景、町並みが早期に、かつ容易に想定でき、近隣住民の工事への理解促進に役立つ。
【００１６】
〈６〉請求項５の考案によれば、
前記シート本体が、前記物件情報の印刷物を収容する薄い透明なシートの袋（以下クリアポケットと記す）でなる印刷物掲示部を有しているので、前記印刷物のシート本体への装着に両面粘着テープなどの粘着剤を使用することなくでき、シート本体の粘着剤での汚損が防止できシート本体の長期間使用が図れる。
【００１７】
〈７〉請求項６の考案によれば、
前記印刷物掲示部を構成するクリアポケットが、前記シート本体に複数個の面ファスナーを介して着脱自在に装着されているので、前記クリアポケットの透明度が低下したり毀損したりした場合に新しいクリアポケットと容易に交換でき、建築現場の仮設足場に張設したシート本体まで交換する必要がなくなる。
【００１８】
〈８〉請求項７の考案によれば、
前記印刷物掲示部を構成するクリアポケットが、その表裏シートの上端及び左右端で接合封止されてなり、前記袋の下端の開口部にジッパーを備えているので、前記クリアポケット内への印刷物の挿入が容易であり、かつ、開口部に備えたジッパーを閉じることによって挿入した印刷物の落下が防止できる。
また前記開口部が、クリアポケットの下端に下に向かって開口するので、雨水のクリアポケット内への侵入が防止でき、さらに開口部のチャックを閉じることによってその効果を増強できる。
【００１９】
〈９〉請求項８の考案によれば、
前記印刷物掲示部を構成するクリアポケットが、その表裏シートの上下左右端で接合封止され、かつ、表裏シートいずれか一方の下端部付近の左右側端間に水平な切り込みを設けて印刷物の挿入口としているので、前記クリアポケット内への印刷物の挿入が容易でき、印刷物挿入後に開口部を透明な粘着テープで封止することによって容易に防水処理ができる。
【００２０】
〈１０〉請求項９の考案によれば、
前記印刷物掲示部構成するクリアポケットが、その下端、及び左右端の部除いた表裏シートの上端、及び左右端の大部分が接合封止されてなり、かつ、封止されていない裏側のシートの下端部を内側上方に折り返し、折り返すことによって重なり合った裏側のシートの左右端を改めて接合封止して上方に開口した浅い袋状の折り返し部を形成し、封止されていない表側のシートの下端部で前記折り返し部の前面を被覆しているので、クリアポケット内への印刷物の挿入が容易にでき、折り返し部によって挿入した印刷物の落下が防止でき、かつ、前記折り返し部前面を被覆する表側シートの下端部によってクリアポケット内への雨水の浸入が防止できる。
〈１１〉請求項１０の考案によれば、
前記折り返し部の前面と前記表側シートの下端部の被覆部の相対する位置に１又は複数の面ファスナーを備えているので、前記クリアポケット内への雨水の侵入がより確実に防止できる。
【考案を実施するための最良の形態】
【００２１】
本考案の建築工事用シートの実施するための形態を、実施例の図に基づいて説明する。
図１はシート本体に建築予定物件の完成形状を表示した建築工事用シート、図２はシート本体に建築予定物件の主要な各建築作業工程の終了時における形状を表示した建築工事用シート、図３ははシート本体に薄い透明シートの袋（クリアポケット）を装着した建築工事用シート、図５はシート本体に装着する薄い透明シートの袋（クリアポケット）のいくつかの実施例である。
図において１はシート本体、２は建築予定物件の形状を印刷した印刷物、３は印刷物掲示部、４は薄い透明シートの袋（クリアポケット）、４１はジッパー、４２は切り込み、４３は折り返し部、４４は表側シート下端の被覆部、４５は面ファスナー、そして５は取付孔である。
【実施例１】
【００２２】
本考案の建築工事用シートの第１の実施例は、図１に示すように、シート本体１に当該建築予定物件の完成形状に完成予定日を付して印刷された印刷物２を装着したものである。そして前記印刷物２に印刷された完成形状は、該建築物件の設計図等の設計資料を基にコンピュータによって作成されたコンピュータグラフィックスをフィルムや印画紙、アート紙等に転写したものであり、従来のデザイン画やイラストで表示された完成形状とは異なり、当該建築予定物件の完成時の形状が正確に表現されている。
したがって、前記建築予定物件完成後の近隣の風景、町並みが早期に、かつ容易に想定でき、作業の騒音や資材搬入に伴う近隣住民にとっての生活上の変化が受け入れられやすい雰囲気の醸成に役立つ。
【実施例２】
【００２３】
本考案の建築工事用シートの第２の実施例は、図２に示すように、シート本体１に当該建築予定物件の基礎打ち、棟上げ、完成時等主要な各建築作業工程の終了時における当該建築物件の形状を示す複数の図形が、それぞれの終了予定日が付記され、付記された終了予定日順に配列されて印刷された印刷物２を装着したものである。そして前記印刷物２の各図形は、当該該建築予定物件の設計図等の設計資料に基づいてコンピュータによって作成されたコンピュータグラフィックスをフィルムや印画紙、アート紙等に転写したものであり、当該建築予定物件の主要な各建築作業工程の終了時における形状が正確に表現されている。
したがって、前記建築予定物件の作業手順が前もって想定でき、近隣住民の建築工事への理解を深め、不要なトラブルの発生を避けるのに役立ち、また、各建築作業工程の終了予定日を公示することによって施工担当者の工程管理への意識を高め、スムーズな施工が期待できる。
【実施例３】
【００２４】
本考案の建築工事用シートの第３の実施例は、棟上げ、外装完了、完工等主要な各建築作業工程の終了時における当該建築物件の形状を示す図形にそれぞれの作業完了定日を付記して個別に印刷された複数枚の印刷物を、当該建築作業工程の開始時から終了日までの間、前記シート本体に着脱自在に装着し、該建築作業工程の終了日にシート本体に装着された印刷物を次の建築作業工程の終了時の形状と終了予定日が印刷された印刷物に交換して装着するようにしたものである。そして前記印刷物２の各図形は、当該該建築予定物件の設計図等の設計資料に基づいてコンピュータによって作成されたコンピュータグラフィックスをフィルムや印画紙、アート紙等に転写したものであり、当該建築予定物件の主要な各建築作業工程の終了時における形状が正確に表現されている。
したがって、前記建築予定物件で今行われている建築作業工程の終了予定日と終了予定日における形状が容易に想定でき、近隣住民の建築工事への不安を除き、また、建築作業工程の終了予定日を公示することによって施工担当者の工程管理への意識を高め、スムーズな施工が期待できる。
【００２５】
上記実施例１〜３における前記印刷物２のシート本体１への装着は、両面粘着テープ等後日剥離可能な粘着剤あるいは接着剤によって行われてよいが、フイルム以外の印画紙やアート紙等雨水に弱い素材に印刷された印刷物２では透明な樹脂をコーティングするなどの防水処理を施さなくてはならず、また粘着剤あるいは接着剤によって装着された印刷物２を剥離した後、シート本体１に付着した粘着剤あるいは接着剤を完全に除去できないこともあるので、粘着剤あるいは接着剤を使用する必要のない、「実施例４」として後述するクリアポケット４を装着して印刷物掲示部３とした建築工事用シート（図３参照）に前記印刷物２を挿入して使用するのが好ましい。
【実施例４】
【００２６】
本考案の建築工事用シートの第４の実施例は、図３に示すように、前記シート本体１に前記建築予定物件の完成時の形状をはじめとする主要な各建築作業工程の終了時の形状を印刷した印刷物２を収容するクリアポケット４を固着、又は複数個の面ファスナー４５を介して着脱自在に装着された印刷物掲示部３を有するものである。
本実施例の建築工事用シートは、前記印刷物掲示部３を構成するクリアポケット４に当該建築予定物件の主要な建築作業工程の終了時における形状を印刷した印刷物２を挿入すればよく、前記クリアポケット４を防水構造にしておけば挿入した印刷物２が直接風、雨、雪等に晒されずにすみ、印画紙やアート紙等水濡れに弱い素材に印刷された印刷物２も防水処理を施すことなく簡便に使用できるようになる。
【００２７】
図４に前記印刷物掲示部３を構成するクリアポケット４のいくつかの実施例を示したが、いずれもクリアポケット４内への雨水の浸入を防止する防水構造を備えている。
図４（ａ）に示すクリアポケット４は、その表裏シートが上端及び左右端で接合封止され、前記クリアポケット４の下端の開口部に樹脂製のジッパー４１を備えたものである。該クリアポケット４は、下端に下向きに開かれた開口部から印刷物２を挿入した後、ジッパー４１を閉じて挿入した印刷物の落下を防止するが、開口部が下向きに開かれていることから雨水のクリアポケット４内への浸入が阻止でき、さらに開口部をジッパー４１で閉じることによってより確実な防水構造としている。
また、ジッパー４１を樹脂性にすることによって、ジッパー４１の耐候性を高かめ、印刷物掲示部を有する建築工事用シートの長期使用をが可能にしている。
【００２８】
図４（ｂ）に示すクリアポケット４は、その表裏シートの上下左右端が接合封止され、かつ、表裏シートいずれか一方の下端部付近の左右側端間に水平な切り込み４２を設けて印刷物の挿入口を形成したものである。構造が簡単で安価にでき、前記クリアポケット４内への印刷物の挿入も容易で、印刷物挿入後に開口部を透明な粘着テープで封止することによって容易に防水処理が施せるというメリットがある。
【００２９】
図４（ｃ）に示すクリアポケット４は、その下端、及び左右端の一部を除いた表裏シートの上端、及び左右端の大部分が接合封止されており、かつ、封止されていない裏側のシートの下端部が内側上方に折り返えされ、折り返されたことによって重なり合った裏側のシートの左右端を改めて接合封止して上方に開口した浅い袋状の折り返し部４３を形成し、封止されていない表側のシートの下端部で前記折り返し部４３の前面を被覆するよう構成されたものである。
本クリアポケット４への印刷物の挿入は、まず前記クリアポケット４の折り返し部４３と表側シート被覆部４３との間の下向きに開いた印刷物挿入口に印刷物２の上端部を差し込んで上方に移動してクリアポケット４内に挿入し、さらに前記印刷物２の下端部を前記裏側シートで形成した折り返し部４３に差し入れることによって行われる。
本クリアポケット４は、前記折り返し部４３が印刷物２の脱落を防止し、前記表側シートの被覆部４４が前記折り返し部４３の前面を被覆することによって、雨水のクリアポケット４内への雨水の侵入を防止している。
【００３０】
図４（ｄ）に示すクリアポケット４は、前記図４（ｃ）のクリアポケットの折り返し部４３の前面と前記表側シート下端部の被覆部の裏面の相対する位置に１又は複数の面ファスナーを備えることによって前記折り返し部４３と表側シートの被覆部４４とを強固に係止でき、暴風雨時においても防水性が損なわれないクリアポケットとすることができる。
【００３１】
本考案の建築工事用シートのシート本体１に、従来同様、施工企業の社名やロゴ、電話番号等、あるいは「安全第一」などの標語等が表示されることも好ましく、それを妨げるものではない。
【図面の簡単な説明】
【００３２】
【図１】シート本体に建築予定物件の完成形状を表示した建築工事用シート
【図２】シート本体に建築予定物件の主要な各建築作業工程の終了時における複数の形状を表示した建築工事用シート
【図３】シート本体に薄い透明シートの袋（クリアポケット）を装着した建築工事用シート
【図４】シート本体に装着する薄い透明シートの袋（クリアポケット）のいくつかの実施例
【符号の説明】
【００３３】
１：シート本体
２：建築予定物件の形状を印刷した印刷物
３：印刷物掲示部
４：薄い透明シートの袋（クリアポケット）
４１：ジッパー
４２：切り込み
４３：折り返し部
４４：表側シート下端の被覆部
４５：面ファスナー
５：取付孔
【図１】
0003135744.tif 000003
【図２】
0003135744.tif 000004
【図３】
0003135744.tif 000005
【図４】
0003135744.tif 000006